(57)【要約】【課題】  液晶表示パネルの湿度に起因する変形を抑制する。【解決手段】  表面側が外気に露出する液晶表示パネル１２と、液晶表示パネル１２の背面側を塞ぐ背面室１３ａとを備える液晶表示装置において、背面室１３ａの前記外気との間の透湿度を４０℃９０％ＲＨの条件下で測定したとき少なくとも２００ｇ／ｍ２／日とする。これにより、液晶表示パネルの表裏の湿度差が抑制され、液晶表示パネルの表裏の偏光板の湿度差に起因する伸縮差が抑制され、この伸縮差による液晶表示パネル１２の変形が抑制される。【選択図】  図２
2007071987.tif 000002
【特許請求の範囲】
【請求項１】
表面側が外気に露出する液晶表示パネルと、該液晶表示パネルの背面側を塞ぐ背面室とを備える液晶表示装置において、前記背面室の前記外気との間の透湿度を、４０℃９０％ＲＨの条件下で測定したとき少なくとも２００ｇ／ｍ２／日としたことを特徴とする液晶表示装置。
【請求項２】
前記透湿度を少なくとも４００ｇ／ｍ２／日としたことを特徴とする請求項１に記載の液晶表示装置。
【請求項３】
前記透湿度を少なくとも６００ｇ／ｍ２／日としたことを特徴とする請求項２に記載の液晶表示装置。
【請求項４】
前記背面室と外気とを連通する通気孔と、該通気孔を塞ぐ透湿性フィルムとを備えることを特徴とする請求項１乃至請求項３のいずれかに記載の液晶表示装置。
【請求項５】
表面側が外気に露出する液晶表示パネルと、該液晶表示パネルの背面側を塞ぐ背面室とを備える液晶表示装置において、前記背面室の内部と前記外気とを連通し該背面室の透湿度を制御する透湿度制御手段を備えることを特徴とする液晶表示装置。
【請求項６】
前記透湿度制御手段は、通気孔と該通気孔を塞ぐ透湿性フィルムとを備えることを特徴とする請求項５に記載の液晶表示装置。
【請求項７】
前記透湿度制御手段は、前記透湿度を、４０℃９０％ＲＨの条件下で測定したとき少なくとも２００ｇ／ｍ２／日に制御することを特徴とする請求項５または請求項６に記載の液晶表示装置。
【発明の詳細な説明】
【技術分野】
【０００１】
本発明は、液晶表示パネルの背面側にバックライト用のランプ等を収納する背面室が設けられた液晶表示装置に関する。
【背景技術】
【０００２】
液晶表示装置は、一般的に、液晶表示パネルの背面側に、バックライト用のランプ等を収納する背面室が設けられている。この背面室が密閉状態に保たれると、液晶表示パネルの前面（外気に晒される面）と背面とに加わる気圧に差が発生し、液晶表示パネルが変形してしまうという問題がある。
【０００３】
そこで従来は、下記の特許文献１に記載されている様に、外気に連通する通気孔を背面室に設け、液晶表示パネルの前面に加わる気圧（大気圧）と背面に加わる気圧との間に差が生じない様にしている。
【０００４】
【特許文献１】特許第３６２０８４０号公報
【発明の開示】
【発明が解決しようとする課題】
【０００５】
従来技術の様に、背面室に通気孔を設け、液晶表示パネルの前面に加わる気圧と背面に加わる気圧とを同じにしても、液晶表示パネルが変形し、輝度ムラが発生してしまうことがある。これは、液晶表示パネルの変形の原因が気圧差だけでないことを示しており、その変形を防止する技術の開発が望まれている。
【０００６】
本発明の目的は、液晶表示パネルの変形を防止し輝度ムラの発生を抑制した液晶表示装置を提供することにある。
【課題を解決するための手段】
【０００７】
本発明の液晶表示装置は、表面側が外気に露出する液晶表示パネルと、該液晶表示パネルの背面側を塞ぐ背面室とを備える液晶表示装置において、前記背面室と前記外気との間の透湿度を４０℃９０％ＲＨの条件下で測定したとき少なくとも２００ｇ／ｍ２／日としたことを特徴とする。
【０００８】
本発明の液晶表示装置は、前記透湿度を少なくとも４００ｇ／ｍ２／日としたことを特徴とする。
【０００９】
本発明の液晶表示装置は、前記透湿度を少なくとも６００ｇ／ｍ２／日としたことを特徴とする。
【００１０】
本発明の液晶表示装置は、前記背面室と外気とを連通する通気孔と、該通気孔を塞ぐ透湿性フィルムとを備えることを特徴とする。
【００１１】
本発明の液晶表示装置は、表面側が外気に露出する液晶表示パネルと、該液晶表示パネルの背面側を塞ぐ背面室とを備える液晶表示装置において、前記背面室の内部と前記外気とを連通し該背面室の透湿度を制御する透湿度制御手段を備えることを特徴とする。
【００１２】
本発明の液晶表示装置の前記透湿度制御手段は、通気孔と該通気孔を塞ぐ透湿性フィルムとを備えることを特徴とする。
【００１３】
本発明の液晶表示装置の前記透湿度制御手段は、前記透湿度を、４０℃９０％ＲＨの条件下で測定したとき少なくとも２００ｇ／ｍ２／日に制御することを特徴とする。
【発明の効果】
【００１４】
本発明によれば、液晶表示パネルの表裏の湿度差が大きくならないようにしたため、液晶表示パネルの表裏の偏光板の伸縮差を抑制でき、液晶表示パネルの変形を抑制することが可能となる。
【発明を実施するための最良の形態】
【００１５】
以下、本発明の一実施形態について、図面を参照して説明する。
【００１６】
図１は、本発明の一実施形態に係る液晶表示装置の平面図であり、図２は、その断面図である。本実施形態の液晶表示装置１０は、矩形枠形状のパネルフレーム１１と、パネルフレーム１１の表面枠凹部１１ｃに該パネルフレーム１１の開口１１ａを塞ぐ様に嵌合固定された矩形の液晶表示パネル１２と、パネルフレーム１１の背面側に固定された矩形の盆形状でなるシールド部１３と、シールド部１３で画成された背面室（以下、シールド室１３ａともいう。）内に収納されるバックライト用の蛍光ランプ（図示の例では５本）１４とを備える。
【００１７】
液晶表示パネル１２は、一般的に、表面に偏光板と位相差フィルムとが貼り合わされており、裏面も同様に、偏光板と位相差フィルムとが貼り合わされている。
【００１８】
パネルフレーム１１には、図１に示す様に、左枠，右枠の夫々に３つの切れ込み部１１ｂが形成されており、液晶表示パネル１２はその左右端縁が、各切れ込み部１１ｂの先端縁に一致する様にパネルフレーム１１に嵌合固定されている。
【００１９】
本実施形態の液晶表示装置１０では、パネルフレーム１１とシールド部１３とは気密に嵌合されているが、パネルフレーム１１と液晶表示パネル１２とは気密に接着されているわけではなく、パネルフレーム１１と液晶表示パネル１２との間には図示しない隙間が形成されている。
【００２０】
特に、パネルフレーム１１に設けた切れ込み部１１ｂから内部のシールド室１３ａに通気する量は多い。このため、切れ込み部１１ｂの数を多くするほど、通気量が多くなり、図３に示す様に、切れ込み部１１ｂを設けない場合には通気量は少なくなる。
【００２１】
本実施形態では、外気とシールド室１３ａとの通気中の湿度を調整するため、各切れ込み部１１ｂに透湿性フィルムを貼り、シールド室１３ａ内の湿度が外気から大きく異ならない様にする構成としている。シールド室１３ａ内の湿度を調整する理由は、次の通りである。
【００２２】
液晶表示装置が高湿環境下で保管されると、液晶表示パネルの表裏にそれぞれ貼り付けられている偏光板も高湿環境に晒され、表裏の偏光板は伸縮する。その後、この液晶表示装置を常湿環境下に移動させると、表側の偏光板は外気の湿度環境（常湿環境）に速やかに順応して伸縮するのに対し、シールド部１３で密閉された裏側の偏光板は、相対湿度変化が非常に緩やかなため、高湿環境下での伸縮状態が長期間保持される。
【００２３】
即ち、液晶表示パネルの表裏の湿度差は、液晶表示パネルの表裏に設けた偏光板の伸縮差となって表れ、液晶表示パネルを変形させる原因になる。この変形は、液晶表示パネルの大型化に伴って顕著となり、ベゼルとの接触や、輝度ムラ発生として問題になる。
【００２４】
このため、本実施形態では、切れ込み部１１ｂにおける透湿度調整を行い、液晶表示パネル１２の表裏の湿度制御を行って湿度差が大きくならないようにし、液晶表示パネル１２の変形を抑制する。尚、シールド室１３ａに大きな通気孔を設ければ、液晶表示パネル１２の表裏の湿度差を無くすことは容易となるが、それではシールド室１３ａの密閉性が阻害されて塵埃等が上記の通気孔を通してシールド室１３ａ内に侵入するため、通気孔の大きさとの兼ね合いで湿度制御を行う必要がある。
【００２５】
図４は、上述した実施形態に係る液晶表示装置の具体的実施例の試験結果を示す図表である。この試験では、パネルフレームに設ける切れ込み部１１ｂの数やそこに貼る透湿性フイルムの種類（ＰＣ：ポリカーボネイト、ＴＡＣ：トリアセチルセルロース、ＣＡＢ：セルロースアセテートブチレート）等を変えてシールド室１３ａの透湿度を変え、シールド室１３ａの透湿度と輝度ムラ発生との関係を調べた。
【００２６】
試験した液晶表示装置は、図１や図３のパネルフレームの上に更に金属フレーム（ベゼル）を設置し、これをテレビ筐体内に組込んだ状態で、５５℃８５％ＲＨ４５ｈｒ（ＲＨ：Relative Humidity）の環境下に置いた。１個の切れ込み部１１ｂの大きさは３ｍｍ×１０ｍｍとし、片側当たり０個，３個，７個のパネルフレーム１１を３種類用いた。
【００２７】
上記の環境下に置いた後、結露に気をつけて除湿を行い、１．５ｈｒかけて２５℃４０％ＲＨ環境にし、その後、バックライト（蛍光ランプ１４）を点灯して黒画面表示で輝度ムラの発生レベルを観察した。
【００２８】
輝度ムラ評価は、下記の評価基準に従って行ない、Ａ〜Ｃが実用上の許容レベルであると判断した。
Ａ：暗室観察でも、明室観察でも輝度ムラを確認できない。
Ｂ：暗室観察のみ、入念に観察すると輝度ムラが確認できるが、明室観察では輝度ムラは確認できない。
Ｃ：暗室観察でのみ僅かな輝度ムラが確認できるが、明室観察では確認できない。
Ｄ：暗室観察では明らかに輝度ムラが確認できるが、明室観察ではほとんど確認できない。
Ｅ：暗室観察でも、明室観察でも輝度ムラが確認できる。
【００２９】
透湿度は、ＪＩＳ  Ｚ  ０２０８を模し、評価対象の液晶表示装置のシールド室１３ａ内に吸湿剤を入れ、液晶表示装置を組み立てて固定した後、４０℃９０％ＲＨに調節した恒温恒湿装置内に放置し、吸湿剤の重量増加速度を測定して求めた。
【００３０】
図４の試験結果によれば、シールド室１３ａの透湿度が高いほど輝度ムラのレベルが改善し、少なくとも２００ｇ／ｍ２／日以上の透湿度で実用上の許容レベルとなることが分かった。好ましくは、４００ｇ／ｍ２／日以上、更に好適には６００ｇ／ｍ２／日以上とするのが良いことも分かった。
【００３１】
透湿度の制御は、隙間構造を設けるなど構造要因だけで行なっても良いし、隙間構造やスリット構造のあるシールド部に更に透湿性のあるフイルムを貼り付けて行なっても良い。大きな透湿度を隙間構造等の構造要因だけで行うと、それだけ大きな通気孔をシールド部に設ける必要が生じるため、塵埃等が内部に侵入しない構造を併用する必要がある。しかし、透湿性フィルムを併用することで、塵埃等の侵入を阻止する複雑な構造を設ける必要がなくなり、コスト的に有利となる。
【００３２】
尚、上述した実施形態では、パネルフレーム１１の枠部分に切れ込み部１１ｂを設け隙間ができやすい構造としたが、シールド部１３自体にスリット等の通気孔を設け、透湿性フィルムを貼ってスリット等を塞ぐ構造にすることでもよいのは言うまでもない。
【産業上の利用可能性】
【００３３】
本発明に係る液晶表示装置は、湿度変化による液晶表示パネルの変形を抑制できるため、湿度が変化する環境を移動したり、湿度が変化する環境に設置される液晶表示装置として有用である。
【図面の簡単な説明】
【００３４】
【図１】本発明の一実施形態に係る液晶表示装置の平面模式図である。
【図２】図１に示す液晶表示装置の断面模式図である。
【図３】図１に示す液晶表示装置の別パネルフレームを用いた例の平面模式図である。
【図４】本発明の実施形態に係る液晶表示装置の試験結果を示す図表である。
【符号の説明】
【００３５】
１０  液晶表示装置
１１  パネルフレーム
１１ａ  開口
１１ｂ  切れ込み部
１２  液晶表示パネル
１３  シールド部
１３ａ  背面室（シールド室）
１４  蛍光ランプ（バックライト用）
【図１】
2007071987.tif 000003
【図２】
2007071987.tif 000004
【図３】
2007071987.tif 000005
【図４】
2007071987.tif 000006